(57)【特許請求の範囲】
【請求項１】
容器体口頸部へ嵌合させる装着筒内から起立する主筒前面からシリンダを、かつ主筒上端から射出筒を、それぞれ前方突出し、又射出筒前部に枢着させて垂設したトリガーの上方後面部に、上記シリンダ内へ嵌合させたプランジャ前端部を連結し、かつトリガーを前方付勢させ、トリガーの揺動で容器体内液体をシリンダ内へ吸込み、かつ該シリンダ内液体を射出筒前端から噴出可能に設けたトリガー式液体噴出器において、
上記トリガー４を、横断面コの字形状に前壁4aの左右両側から側壁4b，4bを後方突出して形成すると共に、上記シリンダ３前端面下部前方に位置するトリガーの一方側壁の上方後面部分に凹部11を付形し、かつ該凹部を有する側壁外面の凹部前方部分に嵌合孔12を穿設しておき、
又該嵌合孔等を有する側壁の外面に沿って弾性揺動板22を、該揺動板下端と側壁下端とを枢着させて揺動可能に起立し、該揺動板の上部前方内面へ嵌合子23を、かつ上部外面へ把手24を、それぞれ付設して上記嵌合子23を嵌合孔12ないし凹部11内へ嵌合させ、かつ嵌合子が凹部11内へ嵌合する状態では揺動板の上部後面の一部がシリンダ前端面の一部に接するよう設けたストッパ部材21を設け、
上記枢着部分から嵌合孔12までと凹部11までとの各距離をほぼ等しくし、把手を用いて揺動板を弾性変形させかつ揺動させることで、嵌合子23を嵌合孔12内から凹部11内へ、又凹部内から嵌合孔内へ、自由に移動可能に形成した
ことを特徴とするトリガー式液体噴出器。
【請求項２】
容器体口頸部へ嵌合させる装着筒内から起立する主筒前面からシリンダを、かつ主筒上端から射出筒を、それぞれ前方突出し、又射出筒前部に枢着させて垂設したトリガーの上方後面部に、上記シリンダ内へ嵌合させたプランジャ前端部を連結し、かつトリガーを前方付勢させ、トリガーの揺動で容器体内液体をシリンダ内へ吸込み、かつ該シリンダ内液体を射出筒前端から噴出可能に設けたトリガー式液体噴出器において、
上記トリガー４を横断面コの字形状に前壁4aの左右両側から側壁4b，4bを後方突出して形成すると共に、上記シリンダ前端面下部前方に位置するトリガー上部の左右両側壁後面に凹部11を付形し、かつ凹部前方の側壁部分に嵌合孔12，12を穿設しておき、
又上記トリガー下端面に当接させた下端板部32の左右両側から上記トリガーの左右両側壁外面に沿って弾性板33，33を起立し、かつこれ等両弾性板下端部とトリガー下端部の左右両側面とを揺動可能に枢着して、上記両弾性板の上端前部内面に付設した嵌合子35，35を上記嵌合孔12，12ないし凹部11，11内へ嵌合させ、かつ弾性板33，33の上部からトリガー側壁の後側縁よりも後方へ摘み板37，37を突設し、又上記係合子が凹部内に嵌合する状態では上記摘み板37，37の後面がシリンダ３の下部前端面へ係合するよう設けたストッパ部材31を設け、
上記枢着部分から嵌合孔12までと凹部11までとの各距離をほぼ等しくして、上記両摘み板37，37の下端後部外面を挟持してこれ等下端後部相互を近接させたとき、トリガー左右両側壁の後縁との接触部を支点として、該接触部よりも上前方の弾性板部分が拡開して、上記嵌合孔内ないし凹部内から嵌合子35，35が側外方へ離脱可能に形成した
ことを特徴とするトリガー式液体噴出器。
【発明の詳細な説明】
【０００１】
【発明の属する技術分野】
本発明はトリガー式の液体噴出器に関する。
【０００２】
【従来の技術】
例えば特開平 10‐128187号が示すように、容器体口頸部へ嵌合させる装着筒内から主筒を起立し、該主筒前面からシリンダを、かつ主筒上端から射出筒を、それぞれ前方突出し、又射出筒前部に枢着させて垂設したトリガーの上方後部に、上記シリンダ内へ嵌合させたプランジャ前端部を連結し、かつトリガーを前方付勢させ、トリガーの揺動で容器体内液体をシリンダ内へ吸込み、かつ該シリンダ内液体を射出筒前端から噴出可能に設けたトリガー式液体噴出器において、上記トリガーが不用意に操作されて液体噴出することを防止するための安全装置として、シリンダ下部前方のトリガー部分に係合板を枢着させ、該枢着部を中心として係合板を後方へ回動させ、その係合板下端をシリンダの下部前面へ係合させることでトリガー操作を不能とし、又シリンダ前端から係合板を外すことでトリガー操作が出来るようにした液体噴出器が知られている。
【０００３】
【発明が解決しようとする課題】
本発明もトリガー操作が不能となる安全装置を設けたトリガー式の液体噴出器に関するもので、トリガー下端に枢着されてトリガー側面に沿い起立するストッパ部材を設けて該ストッパ部材を後方へ揺動させるだけで上記安全装置を行えるよう設けたものである。
【０００４】
【課題を解決するための手段】
第１の手段として容器体口頸部へ嵌合させる装着筒内から起立する主筒前面からシリンダを、かつ主筒上端から射出筒を、それぞれ前方突出し、又射出筒前部に枢着させて垂設したトリガーの上方後面部に、上記シリンダ内へ嵌合させたプランジャ前端部を連結し、かつトリガーを前方付勢させ、トリガーの揺動で容器体内液体をシリンダ内へ吸込み、かつ該シリンダ内液体を射出筒前端から噴出可能に設けたトリガー式液体噴出器において、
上記トリガー４を、横断面コの字形状に前壁4aの左右両側から側壁4b，4bを後方突出して形成すると共に、上記シリンダ３前端面下部前方に位置するトリガーの一方側壁の上方後面部分に凹部11を付形し、かつ該凹部を有する側壁外面の凹部前方部分に嵌合孔12を穿設しておき、
又該嵌合孔等を有する側壁の外面に沿って弾性揺動板22を、該揺動板下端と側壁下端とを枢着させて揺動可能に起立し、該揺動板の上部前方内面へ嵌合子23を、かつ上部外面へ把手24を、それぞれ付設して上記嵌合子23を嵌合孔12ないし凹部11内へ嵌合させ、かつ嵌合子が凹部11内へ嵌合する状態では揺動板の上部後面の一部がシリンダ前端面の一部に接するよう設けたストッパ部材21を設け、
上記枢着部分から嵌合孔12までと凹部11までとの各距離をほぼ等しくし、把手を用いて揺動板を弾性変形させかつ揺動させることで、嵌合子23を嵌合孔12内から凹部11内へ、又凹部内から嵌合孔内へ、自由に移動可能に形成した。
【０００５】
第２の手段として容器体口頸部へ嵌合させる装着筒内から起立する主筒前面からシリンダを、かつ主筒上端から射出筒を、それぞれ前方突出し、又射出筒前部に枢着させて垂設したトリガーの上方後面部に、上記シリンダ内へ嵌合させたプランジャ前端部を連結し、かつトリガーを前方付勢させ、トリガーの揺動で容器体内液体をシリンダ内へ吸込み、かつ該シリンダ内液体を射出筒前端から噴出可能に設けたトリガー式液体噴出器において、
上記トリガー４を横断面コの字形状に前壁4aの左右両側から側壁4b，4bを後方突出して形成すると共に、上記シリンダ前端面下部前方に位置するトリガー上部の左右両側壁後面に凹部11を付形し、かつ凹部前方の側壁部分に嵌合孔12，12を穿設しておき、
又上記トリガー下端面に当接させた下端板部32の左右両側から上記トリガーの左右両側壁外面に沿って弾性板33，33を起立し、かつこれ等両弾性板下端部とトリガー下端部の左右両側面とを揺動可能に枢着して、上記両弾性板の上端前部内面に付設した嵌合子35，35を上記嵌合孔12，12ないし凹部11，11内へ嵌合させ、かつ弾性板33，33の上部からトリガー側壁の後側縁よりも後方へ摘み板37，37を突設し、又上記係合子が凹部内に嵌合する状態では上記摘み板37，37の後面がシリンダ３の下部前端面へ係合するよう設けたストッパ部材31を設け、
上記枢着部分から嵌合孔12までと凹部11までとの各距離をほぼ等しくして、上記両摘み板37，37の下端後部外面を挟持してこれ等下端後部相互を近接させたとき、トリガー左右両側壁の後縁との接触部を支点として、該接触部よりも上前方の弾性板部分が拡開して、上記嵌合孔内ないし凹部内から嵌合子35，35が側外方へ離脱可能に形成した。
【０００６】
【発明の実施の形態】
まず、図１から図４が示す第１実施形態について説明すると、１はトリガー式の液体噴出器である。該液体噴出器は、後述のストッパ部材およびトリガーに設ける嵌合孔および凹部を除き公知のものである。該公知部分について簡単に説明すると、容器体の口頸部外面へ嵌合させる装着筒２内から主筒を起立し、該主筒前面からシリンダ３を、かつ主筒上端から射出筒を、それぞれ前方突出し、射出筒前部に枢着させてトリガー４を垂下し、該トリガーの後面上部へ、上記シリンダ内へ嵌合させたプランジャ５の前端部を連結し、又トリガー４は前方付勢させ、トリガー４の揺動で容器体内液体を吸上げパイプ６を介してシリンダ内へ吸込み、かつ該シリンダ内液体を射出筒前端から噴出可能とする。図示例では射出筒前端にノズルキャップ７を嵌合させ、又該ノズルキャップ前面に弾性反転ヒンジ８を介して蓋板９を垂下し、該蓋板起立状態でのトリガー操作でノズルキャップ前壁中心に設けたノズル孔から噴出可能としている。上記トリガーは、横断面コの字形状に前壁4aの左右両側から側壁4b，4bを後方突出して形成する。尚図示例では主筒，シリンダ，射出筒の外面へカバー10を嵌合させている。
【０００７】
本発明にあっては、上記トリガーの側壁4b一方の上方後面部分に図３が最も明白に示すように後面および下面開放の凹部11を設け、又該凹部を有する側壁外面の凹部前方部分に嵌合孔12を穿設している。又トリガー左右側壁の下端部からは、後述ストッパ部材枢着用のピン13，13を突出している。このピンから上記凹部11および嵌合孔12までの距離はほぼ等しく設けておく。
【０００８】
21はストッパ部材で、上記嵌合孔12を有する側壁外面に沿って弾性を有する揺動板22を、該揺動板下端と上記側壁下端とを上記ピン13で枢着させて揺動可能に起立し、該揺動板の上部前方内面に嵌合子23を、かつ上部外面に把手24を、それぞれ付設する。嵌合子23は上記凹部11又は嵌合孔12のいずれに対しても揺動板22の揺動により嵌合可能に設けたもので、把手は揺動板上部を弾性に抗して側外方へ引くことで、上記嵌合子23を凹部又は嵌合孔内から引き出し、他方の嵌合孔又は凹部内へ再び嵌合させることが可能に設けたもので、図示のように揺動板から突出する板外端にフランジ状板を付設した、平面Ｔ字形状に形成するとよい。
【０００９】
図１が最も明白に示すように、嵌合子23を凹部11内へ嵌合させた状態で、揺動板22の上部後面の一部はシリンダ３前端面の一部に接し、よって該状態ではトリガー上部後面とシリンダ前端面との間に、上記嵌合子23および該嵌合子よりも後方の揺動板上方後部が介在し、よってトリガーの後方引寄せ操作が不能に設ける。
【００１０】
尚図示例においてストッパ部材21は、図３が示すように揺動板22下端からトリガー下端面に当接する下端板部25を突設し、該板部先端からトリガーの他方側壁外面に接して短板26を起立し、該短板下部もトリガー下部側面と枢着している。このようにすることでストッパ部材下端の外見を向上させることが出来る。
【００１１】
図５から図７は第２実施形態を示し、既述第１実施形態に対してストッパ部材だけを異にし、液体噴出器は同一である。よって同一符号を付することで説明は省略する。但し凹部11および嵌合孔12は左右両側壁にそれぞれ設けるものとする。
【００１２】
第２実施形態におけるストッパ部材31は、トリガー下端面に当接させた下端板部32の左右両側から、トリガーの左右両側壁4b，4b外面に沿って弾性板33，33を起立し、これ等両弾性板の下端部とトリガー下端部の左右両側面とを揺動可能に枢着して、両弾性板の上端前部内面に嵌合子35，35を付設し、又弾性板の上部から後方へ滑り止め36付きの摘み板37，37を突設している。上記嵌合子は第１実施形態の場合と同様に、既述嵌合孔12と凹部11とへ、ストッパ部材の揺動で自由に嵌合できるよう設けたもので、それ等嵌合孔および凹部内からの嵌合子35，35の抜出しは、上記摘み板37，37下端後部の各外面を、それ等下端後部相互が近接するよう強く摘むことで可能に設ける。そのため、摘み板37，37の下端後部は、図５が示すように嵌合子35，35が凹部11内へ嵌合する状態にあっても、又図６が示すように嵌合子が嵌合孔12，12内に嵌合する状態にあっても、トリガー側壁上部の後縁よりも下後方に位置し、上記摘み板下端後部を強く摘んだとき、トリガー左右側壁の後側縁との接触部38を支点として該接触部よりも上前方の弾性板部分が拡開して、該拡開により嵌合子が凹部11ないし嵌合孔12内から抜出すよう設けている。
【００１３】
既述嵌合孔12と凹部11とは、ストッパ部材下端とトリガー下端との枢着34部分からの距離をほぼ等しく設け、上記のように摘み板37，37の下端後部を強く摘んで嵌合子35，35を凹部ないし嵌合孔内から抜き出した状態から、ストッパ部材を揺動させ、かつ上記摘み板を離すことで他方の嵌合孔ないし凹部内へ嵌合可能とする。
【００１４】
尚嵌合子35，35が凹部11，11内に位置する状態で、図５が示すように摘み板37，37後面の一部はシリンダ３の前端面一部に接して、第１実施形態の場合と同様にトリガーの後方引寄せは不能となるよう設ける。
【００１５】
図８と図９とは第３実施形態を示す。該第３実施形態は第２実施形態の場合とほぼ同様で、第２実施形態トリガーの凹部11，11を、下面開口の溝状とした点で相違し、その他部分については同一である。
既述各実施形態におけるストッパ部材はそれぞれ合成樹脂材で一体成形している。
【００１６】
【発明の効果】
本発明は既述構成としたから、請求項１の場合は把手24を外方へ引き弾性揺動板を弯曲させることで嵌合子23を凹部11内又は嵌合孔12内から抜出し、かつ揺動させて嵌合子を嵌合孔又は凹部内へ嵌合させることが出来、嵌合子を凹部11内へ嵌合させた状態では揺動板上部後面の一部がシリンダ前端面の一部に接してトリガー操作が不能となるよう設けたから、安全装置を施し、又該装置を外すことが極めて容易である。
【００１７】
請求項２の場合は、トリガー４の下端面に当接させた下端板部32の左右から、トリガーの左右両側外面に沿って弾性板33，33を起立し、その弾性板の上部からトリガー側壁の後縁部よりも後方へ摘み板37，37を後方突出したから、それ等両摘み板の下端後部外面を挟持することで、トリガー左右両側壁の後縁との接触部を支点として、該接触部よりも上前方の弾性板部分を拡開させることが出来、よってトリガー側壁の上部に設けた凹部ないし嵌合孔内に嵌合する、弾性板上端部内面の嵌合子を容易に外し、又ストッパ部材を揺動させて嵌合孔ないし凹部内へ移動させることが容易であり、又嵌合子が凹部内へ嵌合する状態では摘み板37，37の後面がシリンダ前端面へ係合するよう設けたから、トリガー操作を不能に、つまり安全装置を行うことが容易である。
【００１８】
又上記摘み板下端後部の挟持は片手操作で行うことが出来る便利がある。
【図面の簡単な説明】
【図１】  本発明液体噴出器に安全装置を行った状態で示す側面図である。
【図２】  図１の状態から安全装置を外した状態で示す側面図である。
【図３】  安全装置用のストッパ部材をトリガーから外して示す、分解斜視図である。
【図４】  安全装置を行った状態で示す斜視図である。
【図５】  第２実施形態で、安全装置を行った状態で示す側面図である。
【図６】  図５の状態から、安全装置を外して示す側面図である。
【図７】  第２実施形態におけるストッパ部材を示すもので、図図Ａは正面図、図図Ｂは側面図である。
【図８】  第３実施形態で、安全装置を行った状態で示す側面図である。
【図９】  図８の状態から安全装置を外した状態で示す側面図である。
【符号の説明】
４…トリガー              11…凹部
12…嵌合孔                21…ストッパ部材
22…揺動板                24…把手
31…ストッパ部材          35…嵌合子
37…摘み板
【図１】
0003725338.tif 000002
【図２】
0003725338.tif 000003
【図３】
0003725338.tif 000004
【図４】
0003725338.tif 000005
【図５】
0003725338.tif 000006
【図６】
0003725338.tif 000007
【図７】
0003725338.tif 000008
【図８】
0003725338.tif 000009
【図９】
0003725338.tif 000010